(57)【要約】【課題】ＰＵＣＣＨ送信セルの切り替えを適切に行うこと。【解決手段】異なる周波数帯を利用する１つ以上のセルからそれぞれ構成される複数のセルグループと通信を行うユーザ端末は、無線リソース制御（ＲＲＣ）メッセージを受信する受信部と、各セルグループにそれぞれ設定される上り制御信号を割り当て可能なセルから少なくとも１つのセルを選択して上り制御信号を送信するセルとして制御するとともに、ＲＲＣメッセージに上り制御信号を割り当て可能なセルの変更指示が含まれる場合に、ＲＲＣメッセージに対する送達確認情報（ＨＡＲＱ−ＡＣＫ）を変更前の上り制御信号を割り当て可能なセルで送信するよう制御する制御部と、を有する。【選択図】図４
2015126394.tif 000002
【特許請求の範囲】
【請求項１】
異なる周波数帯を利用する１つ以上のセルからそれぞれ構成される複数のセルグループと通信を行うユーザ端末であって、
無線リソース制御（ＲＲＣ）メッセージを受信する受信部と、
各セルグループにそれぞれ設定される上り制御信号を割り当て可能なセルから少なくとも１つのセルを選択して上り制御信号を送信するセルとして制御するとともに、前記ＲＲＣメッセージに前記上り制御信号を割り当て可能なセルの変更指示が含まれる場合に、前記ＲＲＣメッセージに対する送達確認情報（ＨＡＲＱ−ＡＣＫ）を変更前の前記上り制御信号を割り当て可能なセルで送信するよう制御する制御部と、を有することを特徴とするユーザ端末。
【請求項２】
前記制御部は、前記ＲＲＣメッセージに前記上り制御信号を割り当て可能なセルの変更指示が含まれる場合に、変更前の前記上り制御信号を割り当て可能なセルにおけるチャネル品質情報（ＣＱＩ）報告を停止することを特徴とする請求項１に記載のユーザ端末。
【請求項３】
異なる周波数帯を利用する１つ以上のセルからそれぞれ構成されるセルグループを形成し、前記セルグループと異なるセルグループを形成する他の無線基地局とデュアルコネクティビティまたはキャリアアグリゲーションを適用してユーザ端末と通信する無線基地局であって、
無線リソース制御（ＲＲＣ）メッセージを送信する送信部と、
各セルグループにそれぞれ設定される上り制御信号を割り当て可能なセルから上り制御信号を受信する受信部と、
前記上り制御信号を割り当て可能なセルの変更指示を含むＲＲＣメッセージを送信するよう制御し、前記ＲＲＣメッセージに対する完了報告を受信するまでの間、下りリンクスケジューリングを行わないよう制御する制御部と、を有することを特徴とする無線基地局。
【請求項４】
前記制御部は、前記下りリンクスケジューリングを行わない制御に替えて、前記上り制御信号を割り当て可能なセルの変更指示を含むＲＲＣメッセージを送信し、前記ＲＲＣメッセージに対する完了報告を受信するまでの間、変更前後の前記上り制御信号を割り当て可能なセルの両方で上り制御信号をモニタすることを特徴とする請求項３に記載の無線基地局。
【請求項５】
前記制御部は、前記ＲＲＣメッセージとＭＡＣ  ＣＥとの組み合わせで前記上り制御信号を割り当て可能なセルの変更を指示することを特徴とする請求項３に記載の無線基地局。
【請求項６】
前記制御部は、前記上り制御信号を割り当て可能なセルの変更指示を含むＲＲＣメッセージを送信する際に、あわせて前記セル変更後のＣＱＩ報告リソースも通知することを特徴とする請求項３に記載の無線基地局。
【請求項７】
前記制御部は、前記上り制御信号を割り当て可能なセルの変更指示を含むＲＲＣメッセージに対する完了報告を受信した後に、前記セル変更後のＣＱＩ報告開始をトリガすることを特徴とする請求項６に記載の無線基地局。
【請求項８】
前記制御部は、前記上り制御信号を割り当て可能なセルの変更指示を含むＲＲＣメッセージに対する完了報告を受信した後に、前記セル変更後のＣＱＩ報告リソースを指示することを特徴とする請求項６に記載の無線基地局。
【請求項９】
異なる周波数帯を利用する１つ以上のセルからそれぞれ構成されるセルグループを形成し、前記セルグループと異なるセルグループを形成する他の無線基地局とデュアルコネクティビティまたはキャリアアグリゲーションを適用して無線基地局がユーザ端末と通信する無線通信システムであって、
前記ユーザ端末は、無線リソース制御（ＲＲＣ）メッセージを受信する受信部と、
各セルグループにそれぞれ設定される上り制御信号を割り当て可能なセルから少なくとも１つのセルを選択して上り制御信号を送信するセルとして制御するとともに、前記ＲＲＣメッセージに前記上り制御信号を割り当て可能なセルの変更指示が含まれる場合に、前記ＲＲＣメッセージに対する送達確認情報（ＨＡＲＱ−ＡＣＫ）を変更前の前記上り制御信号を割り当て可能なセルで送信するよう制御する制御部と、を有し、
前記無線基地局は、無線リソース制御（ＲＲＣ）メッセージを送信する送信部と、
各セルグループにそれぞれ設定される上り制御信号を割り当て可能なセルから上り制御信号を受信する受信部と、
前記上り制御信号を割り当て可能なセルの変更指示を含むＲＲＣメッセージを送信するよう制御し、前記ＲＲＣメッセージに対する完了報告を受信するまでの間、下りリンクスケジューリングを行わないよう制御する制御部と、を有することを特徴とする無線通信システム。
【請求項１０】
異なる周波数帯を利用する１つ以上のセルからそれぞれ構成される複数のセルグループと通信を行うユーザ端末の無線通信方法であって、
無線リソース制御（ＲＲＣ）メッセージを受信する工程と、
各セルグループにそれぞれ設定される上り制御信号を割り当て可能なセルから少なくとも１つのセルを選択して上り制御信号を送信するセルとして制御する工程と、
前記ＲＲＣメッセージに前記上り制御信号を割り当て可能なセルの変更指示が含まれる場合に、前記ＲＲＣメッセージに対する送達確認情報（ＨＡＲＱ−ＡＣＫ）を変更前の前記上り制御信号を割り当て可能なセルで送信するよう制御する工程と、を有することを特徴とする無線通信方法。
【発明の詳細な説明】
【技術分野】
【０００１】
本発明は、次世代移動通信システムにおけるユーザ端末、無線基地局、無線通信システムおよび無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。
【０００３】
ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００４】
ＬＴＥからのさらなる広帯域化および高速化を目的として、たとえばＬＴＥアドバンストまたはＬＴＥエンハンスメントと呼ばれるＬＴＥの後継システムが検討され、ＬＴＥ  Ｒｅｌ．１０／１１として仕様化されている。
【０００５】
ＬＴＥ  Ｒｅｌ．１０／１１のシステム帯域は、ＬＴＥシステムのシステム帯域を一単位とする少なくとも１つのコンポーネントキャリア（ＣＣ：Component  Carrier）を含んでいる。このように、複数のＣＣを集めて広帯域化することをキャリアアグリゲーション（ＣＡ：Carrier  Aggregation）という。なお、本明細書において、ＣＣのことを、単にセルとも呼ぶ。
【０００６】
ＬＴＥのさらなる後継システムであるＬＴＥ  Ｒｅｌ．１２においては、複数のセルが異なる周波数帯（キャリア）で用いられる様々なシナリオが検討されている。複数のセルを形成する無線基地局が実質的に同一の場合には、上述のＣＡを適用可能である。一方、複数のセルを形成する無線基地局が完全に異なる場合には、デュアルコネクティビティ（ＤＣ：Dual  Connectivity）を適用することが考えられる。
【０００７】
なお、キャリアアグリゲーション（ＣＡ）はＩｎｔｒａ−ｅＮＢ  ＣＡと呼ばれることがあり、デュアルコネクティビティ（ＤＣ）はＩｎｔｅｒ−ｅＮＢ  ＣＡと呼ばれることがある。
【０００８】
デュアルコネクティビティ（ＤＣ）を利用する場合、ユーザ端末は、プライマリセル（ＰＣｅｌｌ：Primary  Cell）だけでなく少なくとも１つのセカンダリセル（ＳＣｅｌｌ：Secondary  Cell）で、上り制御チャネル（ＰＵＣＣＨ：Physical  Uplink  Control  Channel）に上りリンク制御情報（ＵＣＩ：Uplink  Control  Information）を割り当てて、無線基地局にフィードバックするように構成される。
【先行技術文献】
【非特許文献】
【０００９】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【００１０】
ＰＵＣＣＨを送信するセルは上位レイヤシグナリングにより設定され、その後ネットワークやトラフィックの状況に応じて変更が指示される可能性がある。しかしながら、複数のセルがＰＵＣＣＨ送信セルとして設定されている状態からＰＵＣＣＨ送信セルの変更が指示された場合の端末動作やその方法は規定されていない。
【００１１】
本発明はかかる点に鑑みてなされたものであり、ＰＵＣＣＨ送信セルの切り替えを適切に行うことができるユーザ端末、無線基地局、無線通信システムおよび無線通信方法を提供することを目的とする。
【課題を解決するための手段】
【００１２】
本発明のユーザ端末は、異なる周波数帯を利用する１つ以上のセルからそれぞれ構成される複数のセルグループと通信を行うユーザ端末であって、無線リソース制御（ＲＲＣ）メッセージを受信する受信部と、各セルグループにそれぞれ設定される上り制御信号を割り当て可能なセルから少なくとも１つのセルを選択して上り制御信号を送信するセルとして制御するとともに、前記ＲＲＣメッセージに前記上り制御信号を割り当て可能なセルの変更指示が含まれる場合に、前記ＲＲＣメッセージに対する送達確認情報（ＨＡＲＱ−ＡＣＫ）を変更前の前記上り制御信号を割り当て可能なセルで送信するよう制御する制御部と、を有することを特徴とする。
【発明の効果】
【００１３】
本発明によれば、ＰＵＣＣＨ送信セルの切り替えを適切に行うことができる。
【図面の簡単な説明】
【００１４】
【図１】キャリアアグリゲーション（ＣＡ）およびデュアルコネクティビティ（ＤＣ）の模式図である。
【図２】キャリアアグリゲーションの配置シナリオ４の模式図である。
【図３】ＳＣｅｌｌに対するＰＵＣＣＨの割り当ての一例を示す図である。
【図４】第１の態様において、デュアルコネクティビティ（ＤＣ）の場合におけるＰＵＣＣＨ設定ＳＣｅｌｌの変更手順を示すシーケンス図である。
【図５】第１の態様において、デュアルコネクティビティ（ＤＣ）の場合におけるＰＵＣＣＨ設定ＳＣｅｌｌの変更手順の一例を説明する図である。
【図６】第１の態様において、キャリアアグリゲーション（ＣＡ）の場合におけるＰＵＣＣＨ設定ＳＣｅｌｌの変更手順を示すシーケンス図である。
【図７】第１の態様において、キャリアアグリゲーション（ＣＡ）の場合におけるＰＵＣＣＨ設定ＳＣｅｌｌの変更手順の一例を説明する図である。
【図８】第１の態様において、デュアルコネクティビティ（ＤＣ）の場合におけるＰＵＣＣＨ設定ＳＣｅｌｌの変更手順の他の例を説明する図である。
【図９】第１の態様において、キャリアアグリゲーション（ＣＡ）の場合におけるＰＵＣＣＨ設定ＳＣｅｌｌの変更手順の他の例を説明する図である。
【図１０】第１の態様の変形例において、ＲＲＣメッセージとＭＡＣ  ＣＥとの組み合わせによるＰＵＣＣＨ設定ＳＣｅｌｌの変更手順を説明する図である。
【図１１】第２の態様において、ＰＵＣＣＨ設定ＳＣｅｌｌでＣＱＩを送信することを説明する図である。
【図１２】第２の態様において、デュアルコネクティビティ（ＤＣ）の場合におけるＣＱＩ報告リソースの変更手順を示すシーケンス図である。
【図１３】第２の態様において、デュアルコネクティビティ（ＤＣ）の場合におけるＣＱＩ報告リソースの変更手順を示すシーケンス図である。
【図１４】第２の態様において、キャリアアグリゲーション（ＣＡ）の場合におけるＣＱＩ報告リソースの変更手順を示すシーケンス図である。
【図１５】第２の態様において、キャリアアグリゲーション（ＣＡ）の場合におけるＣＱＩ報告リソースの変更手順を示すシーケンス図である。
【図１６】本実施の形態に係る無線通信システムの概略構成の一例を示す図である。
【図１７】本実施の形態に係る無線基地局の全体構成の一例を示す図である。
【図１８】本実施の形態に係る無線基地局の機能構成の一例を示す図である。
【図１９】本実施の形態に係るユーザ端末の全体構成の一例を示す図である。
【図２０】本実施の形態に係るユーザ端末の機能構成の一例を示す図である。
【発明を実施するための形態】
【００１５】
以下、本発明の実施の形態について、図面を参照して詳細に説明する。なお、以下の説明において、物理下りリンク制御チャネル（ＰＤＣＣＨ：Physical  Downlink  Control  Channel）と記載される場合には、拡張物理下りリンク制御チャネル（ＥＰＤＣＣＨ：Enhanced  PDCCH）も含むものとする。
【００１６】
ＬＴＥ−Ａシステムでは、半径数キロメートル程度の広範囲のカバレッジエリアを有するマクロセル内に、半径数十メートル程度の局所的なカバレッジエリアを有するスモールセルが形成されるＨｅｔＮｅｔ（Heterogeneous  Network）が検討されている。キャリアアグリゲーション（ＣＡ）およびデュアルコネクティビティ（ＤＣ）は、ＨｅｔＮｅｔ構成に適用される。
【００１７】
ＨｅｔＮｅｔ構成では、トラフィックのさらなる増大をサポートするために、高密度にスモールセルを展開するシナリオが検討されている。このシナリオでは、マクロセルに相対的に低い周波数帯のキャリアを用いることでカバレッジを確保し、スモールセルには広い帯域を確保するために相対的に高い周波数帯のキャリアを用いることが望ましい。
【００１８】
マクロセルレイヤでは、制御プレーン（Ｃ（Control）−ｐｌａｎｅ）の接続を確立して、低い周波数帯で高い送信電力密度をサポートすることで広いカバレッジやモビリティが確保される。高密度スモールセルレイヤでは、データに特化したユーザプレーン（Ｕ（User）−ｐｌａｎｅ）の接続を確立して、高い周波帯でキャパシティを確保することでスループットが増大される。なお、スモールセルは、ファントムセル、ピコセル、ナノセル、フェムトセル、マイクロセルなどと呼ばれてもよい。
【００１９】
図１は、キャリアアグリゲーション（ＣＡ）およびデュアルコネクティビティ（ＤＣ）を説明する図である。図１に示す例において、ユーザ端末ＵＥは無線基地局ｅＮＢ１およびｅＮＢ２と通信する。
【００２０】
図１には、物理下り制御チャネル（ＰＤＣＣＨ）および物理上り制御チャネル（ＰＵＣＣＨ）を介して送受信される制御信号がそれぞれ示されている。たとえば、ＰＤＣＣＨを介して下りリンク制御情報（ＤＣＩ：Downlink  Control  Information）が送信される。また、ＰＵＣＣＨを介して上りリンク制御情報（ＵＣＩ）が送信される。なお、ＰＤＣＣＨを介して送信されるＤＣＩは下り制御信号（ＰＤＣＣＨ信号）と呼ばれてもよく、ＰＵＣＣＨを介して送信されるＵＣＩは上り制御信号（ＰＵＣＣＨ信号）と呼ばれてもよい。
【００２１】
図１Ａは、キャリアアグリゲーション（ＣＡ）に係る無線基地局ｅＮＢ１、ｅＮＢ２およびユーザ端末ＵＥの通信を示している。図１Ａに示す例において、ｅＮＢ１はマクロセルを形成する無線基地局（以下、マクロ基地局という）であり、ｅＮＢ２はスモールセルを形成する無線基地局（以下、スモール基地局という）である。
【００２２】
たとえばスモール基地局は、マクロ基地局に接続するＲＲＨ（Remote  Radio  Head）のような構成であってもよい。キャリアアグリゲーション（ＣＡ）が適用される場合、１つのスケジューラ（たとえば、マクロ基地局ｅＮＢ１の有するスケジューラ）が複数セルのスケジューリングを制御する。
【００２３】
マクロ基地局ｅＮＢ１の有するスケジューラが複数セルのスケジューリングを制御する構成では、各基地局間がたとえば光ファイバのような高速回線などの理想的バックホール（ideal  backhaul）で接続されることが想定される。
【００２４】
ユーザ端末ＵＥは各セルに関するＵＣＩを、１つのセル（たとえば、ＰＣｅｌｌ）のＰＵＣＣＨを介して送信すれば足りる。たとえば、ＰＣｅｌｌ（マクロセル）およびＳＣｅｌｌ（スモールセル）で送信される下り共有チャネル（ＰＤＳＣＨ：Physical  Downlink  Shared  Channel）信号に対する送達確認情報（ＨＡＲＱ−ＡＣＫ：Hybrid  Automatic  Repeat  reQuest-ACKnowledgement）は、ＰＣｅｌｌのＰＵＣＣＨリソースに集約して割り当てられる。この場合、複数のＨＡＲＱ−ＡＣＫを同時に送信する必要がないため、上りリンクのカバレッジ確保が容易になる。
【００２５】
図１Ｂは、デュアルコネクティビティ（ＤＣ）に係る無線基地局ｅＮＢ１、ｅＮＢ２およびユーザ端末ＵＥの通信を示している。図１Ｂに示す例において、ｅＮＢ１およびｅＮＢ２はともにマクロ基地局である。
【００２６】
デュアルコネクティビティ（ＤＣ）が適用される場合、複数のスケジューラが独立して設けられ、当該複数のスケジューラ（たとえば、マクロ基地局ｅＮＢ１の有するスケジューラおよびマクロ基地局ｅＮＢ２の有するスケジューラ）がそれぞれの管轄する１つ以上のセルのスケジューリングを制御する。
【００２７】
マクロ基地局ｅＮＢ１の有するスケジューラおよびマクロ基地局ｅＮＢ２の有するスケジューラがそれぞれの管轄する１つ以上のセルのスケジューリングを制御する構成では、各基地局間がたとえばＸ２インタフェースなどの遅延の無視できない非理想的バックホール（non-ideal  backhaul）で接続されることが想定される。
【００２８】
ユーザ端末ＵＥは基地局ごとに、当該基地局が形成するセルに関するＵＣＩをフィードバックする必要がある。すなわちユーザ端末ＵＥは、ＰＣｅｌｌに加えて、少なくとも１つのＳＣｅｌｌの無線リソースにＰＵＣＣＨを割り当てて、ＵＣＩのフィードバックを行う必要がある（ＰＵＣＣＨ  ｏｎ  ＳＣｅｌｌ）。
【００２９】
デュアルコネクティビティ（ＤＣ）では、このように端末が少なくとも２つのセルでＰＵＣＣＨを送信する必要が出てくる一方で、セル間を理想的バックホール（ideal  backhaul）で接続しなくともキャリアアグリゲーション（ＣＡ）と同様のスループット改善効果が得られるという特徴がある。
【００３０】
キャリアアグリゲーション（ＣＡ）でも、デュアルコネクティビティ（ＤＣ）のようにＳＣｅｌｌに対するＰＵＣＣＨの割り当てを行うことが検討されている。
【００３１】
図２は、キャリアアグリゲーション（ＣＡ）の配置シナリオ４（deployment  scenario  #4）を説明する図である。図２に示す例では、マクロセルをＰＣｅｌｌ、スモールセルをＳＣｅｌｌとしている。キャリアアグリゲーション（ＣＡ）の配置シナリオ４は、周波数Ｆ１でマクロセルのカバレッジを確保し、マクロセルのトラフィックを周波数Ｆ２（Ｆ１＜Ｆ２）でＲＲＨが形成するスモールセルにオフロードする構成である。この構成によれば、マクロセルによるモビリティ確保と、スモールセルによるキャパシティ増大との両方の効果を享受することが可能である。
【００３２】
しかしながら、上述したように、キャリアアグリゲーション（ＣＡ）ではＰＵＣＣＨによるＵＣＩフィードバックはＰＣｅｌｌを介してのみ可能である。したがって、キャリアアグリゲーション（ＣＡ）の配置シナリオ４においては、スモールセル数の増加に伴ってマクロセルの上りリンクにおけるＵＣＩフィードバックに係るトラフィックが増大する。これにより、マクロセルの上りリンクリソースがＰＵＣＣＨによってひっ迫され、スモールセルによる容量増大効果が限定されてしまうおそれがある。
【００３３】
そこで、デュアルコネクティビティ（ＤＣ）のようにＳＣｅｌｌに対するＰＵＣＣＨの割り当てを行うことにより、キャリアアグリゲーション（ＣＡ）の配置シナリオ４において、ユーザ端末はＵＣＩフィードバックをスモールセルにオフロードすることが可能となる。ただし、これを可能とするためには、ユーザ端末が上りリンクのＣＡ（ＵＬ−ＣＡ）を利用可能である必要がある。
【００３４】
機器のコストや実装の容易性を考えると、ＳＣｅｌｌに対するＰＵＣＣＨの割り当ては、キャリアアグリゲーション（ＣＡ）とデュアルコネクティビティ（ＤＣ）とで共通の方針に従って決定されることが好ましい。
【００３５】
図３を参照して、ＳＣｅｌｌに対するＰＵＣＣＨの割り当てについて説明する。図３は、デュアルコネクティビティ（ＤＣ）またはキャリアアグリゲーション（ＣＡ）におけるＳＣｅｌｌに対するＰＵＣＣＨの割り当ての一例を示す図である。図３において、横軸は周波数を表しており、所定の周波数帯の無線リソースを使用する５つのセルとユーザ端末ＵＥとの接続が示されている。
【００３６】
以下の説明では、ＰＵＣＣＨを割り当て可能であると設定されたセルを、「ＰＵＣＣＨ設定セル」と呼ぶ。また、ＰＵＣＣＨを割り当て可能であると設定されたＳＣｅｌｌを、「ＰＵＣＣＨ設定ＳＣｅｌｌ」と呼ぶ。ＰＵＣＣＨ設定セルには、ＰＣｅｌｌおよびＰＵＣＣＨ設定ＳＣｅｌｌが含まれる。
【００３７】
図３Ａは、デュアルコネクティビティ（ＤＣ）におけるＳＣｅｌｌに対するＰＵＣＣＨの割り当ての一例を示す図である。デュアルコネクティビティ（ＤＣ）においては、各無線基地局が、１つまたは複数のセルから構成されるセルグループ（ＣＧ：Cell  Group）を設定する。各ＣＧは、同一無線基地局が形成する１つ以上のセルまたは送信アンテナ装置、送信局などの同一送信ポイントが形成する１つ以上のセルから構成される。
【００３８】
ＰＣｅｌｌを含むセルグループ（ＣＧ）はマスタセルグループ（ＭＣＧ：Master  CG）と呼ばれ、ＭＣＧ以外のセルグループ（ＣＧ）はセカンダリセルグループ（ＳＣＧ：Secondary  CG）と呼ばれる。各セルグループ（ＣＧ）では、２セル以上のキャリアアグリゲーション（ＣＡ）を行うことができる。
【００３９】
ＭＣＧが設定される無線基地局はマスタ基地局（ＭｅＮＢ：Master  eNB）と呼ばれ、ＳＣＧが設定される無線基地局はセカンダリ基地局（ＳｅＮＢ：Secondary  eNB）と呼ばれる。
【００４０】
ＭＣＧおよびＳＣＧを構成するセルの合計数は、所定値（たとえば、５セル）以下となるように設定される。当該所定値は、あらかじめ定められていてもよいし、無線基地局ｅＮＢおよびユーザ端末ＵＥ間で動的に設定されてもよい。また、ユーザ端末ＵＥの実装に応じて、設定可能なＭＣＧおよびＳＣＧを構成するセルの合計値およびセルの組み合わせが、無線基地局ｅＮＢにケーパビリティシグナリングとして通知されてもよい。
【００４１】
図３Ａにおいて、ユーザ端末ＵＥは、Ｃ１からＣ５の５つのセルと接続している。図３Ａにおいて、セルＣ１はＰＣｅｌｌであり、セルＣ２からＣ５はＳＣｅｌｌである。また、セルＣ１およびＣ２はＭＣＧを構成し、セルＣ３からＣ５はＳＣＧを構成する。
【００４２】
各セルグループ（ＣＧ）では、少なくとも１つのセルがＰＵＣＣＨをフィードバックできるように設定される。図３Ａにおいては、ＰＣｅｌｌであるセルＣ１がＭＣＧのＰＵＣＣＨ設定セルとして設定され、ＳＣｅｌｌであるセルＣ３がＳＣＧのＰＵＣＣＨ設定セルとして設定される。すなわち、ＭＣＧのＰＵＣＣＨによるＵＣＩフィードバックはＰＣｅｌｌ（セルＣ１）で行われ、ＳＣＧのＰＵＣＣＨによるＵＣＩフィードバックはＰＵＣＣＨ設定ＳＣｅｌｌ（セルＣ３）で行われる。
【００４３】
なお、上りリンクのＰＵＳＣＨ送信が指示された場合、ユーザ端末ＵＥはＰＵＳＣＨにＵＣＩを多重して送信することもできる。すなわち、ＰＵＳＣＨによるＵＣＩフィードバックはＰＵＣＣＨ設定セルに限られず行われる。
【００４４】
図３Ｂは、キャリアアグリゲーション（ＣＡ）におけるＳＣｅｌｌに対するＰＵＣＣＨの割り当ての一例を示す図である。上述のように、キャリアアグリゲーション（ＣＡ）とデュアルコネクティビティ（ＤＣ）とで共通の方針に従ってＰＵＣＣＨを割り当てる観点から、キャリアアグリゲーション（ＣＡ）においても、各無線基地局が、１つまたは複数のセルから構成されるセルグループ（ＣＧ）を設定する。各セルグループ（ＣＧ）は、同一無線基地局が形成する１つ以上のセルまたは送信アンテナ装置、送信局などの同一送信ポイントが形成する１つ以上のセルから構成される。
【００４５】
以下の説明では、キャリアアグリゲーション（ＣＡ）において、ＰＣｅｌｌを含むセルグループ（ＣＧ）をＸＣＧと呼び、ＸＣＧ以外のセルグループ（ＣＧ）をＹＣＧと呼ぶ。各セルグループ（ＣＧ）では、２セル以上のキャリアアグリゲーション（ＣＡ）を行うことができる。ＸＣＧおよびＹＣＧを構成するセルの合計数は、所定値（たとえば、５セル）以下となるように設定される。当該所定値は、あらかじめ定められていてもよいし、無線基地局ｅＮＢおよびユーザ端末ＵＥ間で動的に設定されてもよい。
【００４６】
各セルグループ（ＣＧ）では、少なくとも１つのセルがＰＵＣＣＨをフィードバックできるように設定される。図３Ｂにおいては、ＰＣｅｌｌであるセルＣ１がＸＣＧのＰＵＣＣＨ設定セルとして設定され、ＳＣｅｌｌであるセルＣ３がＹＣＧのＰＵＣＣＨ設定セルとして設定される。ＸＣＧのＰＵＣＣＨによるＵＣＩフィードバックはＰＣｅｌｌ（セルＣ１）で行われ、ＹＣＧのＰＵＣＣＨによるＵＣＩフィードバックはＰＵＣＣＨ設定ＳＣｅｌｌ（セルＣ３）で行われる。
【００４７】
なお、上りリンクのＰＵＳＣＨ送信が指示された場合、ユーザ端末ＵＥはＰＵＳＣＨにＵＣＩを多重して送信することもできる。すなわち、ＰＵＳＣＨによるＵＣＩフィードバックはＰＵＣＣＨ設定セルに限られず行われる。
【００４８】
ＰＵＣＣＨ設定セルに関する情報は、たとえば、ＲＲＣシグナリングや報知信号などの上位レイヤシグナリングによって無線基地局ｅＮＢからユーザ端末ＵＥに通知される。ＰＵＣＣＨ設定セルのうち１つは必ずＰＣｅｌｌとなる。また、すべてのセルグループ（ＣＧ）において３つ以上のＰＵＣＣＨ設定セルが設定されることも想定される。ただし、ＰＵＣＣＨ設定セルは、上りリンクキャリアアグリゲーション（UL-CA）が設定（configure）されたセルに設定される。
【００４９】
ＰＵＣＣＨ設定セルは、ネットワークやトラフィックの状況に応じて変更が指示される可能性がある。変更指示は、ＰＵＣＣＨ設定セルを通知する場合と同様に、上位レイヤシグナリング、たとえばＲＲＣメッセージによって通知される。なお、デュアルコネクティビティ（ＤＣ）では、無線基地局ｅＮＢまたはユーザ端末ＵＥは、ＲＲＣメッセージをＭＣＧに所属するセルから送信する。キャリアアグリゲーション（ＣＡ）では、無線基地局ｅＮＢまたはユーザ端末ＵＥは、ＲＲＣメッセージをどのセルからでも送信できる。
【００５０】
ＬＴＥ  Ｒｅｌ．１１までは、ＰＵＣＣＨはＰＣｅｌｌでのみで送信されたため、ＰＵＣＣＨ設定セルの変更はＰＣｅｌｌの変更を指示するＰＣｅｌｌチェンジによって行われていた。ＰＣｅｌｌチェンジはハンドオーバーと同等の仕組みと処理動作で行われる。すなわち、無線基地局ｅＮＢとユーザ端末ＵＥは、ＰＣｅｌｌの変更が指示されてから完了するまで、通信を停止する必要がある。
【００５１】
一方、既存の技術では、複数のＰＵＣＣＨ設定セルが設定されている状態から、ＰＵＣＣＨ設定セルの変更が指示された場合の端末動作やその方法については規定されていない。したがって、ユーザ端末ＵＥが、ＰＵＣＣＨ設定セルの変更指示に対する送達確認情報（ＨＡＲＱ−ＡＣＫ）をどのセルのＰＵＣＣＨで送信するかが明確でない。
【００５２】
ＰＣｅｌｌを含むセルグループ（ＣＧ）では、ＰＵＣＣＨはＰＣｅｌｌから送信される。すなわち、ＰＣｅｌｌを含むセルグループ（ＣＧ）におけるＰＵＣＣＨ設定セルの変更はＰＣｅｌｌチェンジに他ならず、既存のＰＣｅｌｌチェンジの仕組みを流用すればよい。
【００５３】
ＰＣｅｌｌを含まないセルグループ（ＣＧ）では、ＰＵＣＣＨはいずれかのＳＣｅｌｌから送信される。すなわち、ＰＣｅｌｌを含まないセルグループ（ＣＧ）におけるＰＵＣＣＨ設定セルの変更の際に、ＰＣｅｌｌチェンジは発生しない。したがって、ユーザ端末ＵＥは、ＰＣｅｌｌを含まないセルグループ（ＣＧ）におけるＰＵＣＣＨ設定セルの変更の際に、ＰＣｅｌｌを含むセルグループ（ＣＧ）の接続を維持したまま、ＰＣｅｌｌを含まないセルグループ（ＣＧ）におけるＰＵＣＣＨ設定セルを変更できる。
【００５４】
ＰＵＣＣＨ設定セルの変更は、キャリアアグリゲーション（ＣＡ）およびデュアルコネクティビティ（ＤＣ）で共通する方法により行われることが好ましい。
【００５５】
本発明者らは、キャリアアグリゲーション（ＣＡ）およびデュアルコネクティビティ（ＤＣ）で共通する方法により、ＰＵＣＣＨ設定セルの変更を可能とする制御を見出した。
【００５６】
具体的には、ユーザ端末ＵＥは、ＰＵＣＣＨ設定ＳＣｅｌｌの変更を指示するＲＲＣメッセージに対するＰＵＣＣＨ（ＨＡＲＱ−ＡＣＫ）を、変更前のＰＵＣＣＨ送信設定で送信し、その後ＰＵＣＣＨ設定ＳＣｅｌｌを切り替える。この方法によれば、ＰＵＣＣＨ設定ＳＣｅｌｌの変更を指示するＲＲＣメッセージに対するＨＡＲＱ−ＡＣＫのＰＵＣＣＨリソースの認識を無線基地局ｅＮＢとユーザ端末ＵＥ間で一致することができるため、ＨＡＲＱ−ＡＣＫの送受信を齟齬なく行うことができる。
【００５７】
以下、キャリアアグリゲーション（ＣＡ）およびデュアルコネクティビティ（ＤＣ）で共通する方法により、ＰＵＣＣＨ設定セルの変更を可能とする制御について、詳細に説明する。
【００５８】
（第１の態様）
第１の態様では、デュアルコネクティビティ（ＤＣ）およびキャリアアグリゲーション（ＣＡ）の場合における、ＰＵＣＣＨ設定ＳＣｅｌｌの変更手順について説明する。
【００５９】
図４および図５に基づいてデュアルコネクティビティ（ＤＣ）の場合におけるＰＵＣＣＨ設定ＳＣｅｌｌの変更手順について説明する。
【００６０】
図５Ａに示すように、ＰＵＣＣＨ設定ＳＣｅｌｌ変更前において、ＳＣＧのＰＵＣＣＨ設定ＳＣｅｌｌはセルＣ３である。図５Ｃに示すように、ＰＵＣＣＨ設定ＳＣｅｌｌ変更後において、ＳＣＧのＰＵＣＣＨ設定ＳＣｅｌｌはセルＣ４とする。
【００６１】
図４に示すように、まずＳｅＮＢがＭｅＮＢに対してＰＵＣＣＨ設定ＳＣｅｌｌ変更要求を送信する（ＳＴ１０１）。変更要求を受信したＭｅＮＢは、ＳｅＮＢに対してＡＣＫを送信する（ＳＴ１０２）。
【００６２】
ＭｅＮＢはユーザ端末ＵＥに対してＰＵＣＣＨ設定ＳＣｅｌｌ変更指示を含むＲＲＣメッセージを送信し、ＲＲＣ  ｒｅｃｏｎｆｉｇｕｒａｔｉｏｎを指示する（ＳＴ１０３）。変更指示を受信したユーザ端末ＵＥはＭｅＮＢに対してＡＣＫを送信する（ＳＴ１０４）。デュアルコネクティビティ（ＤＣ）の場合、ＲＲＣメッセージはＭＣＧから送信されるので、ユーザ端末ＵＥはこのＲＲＣメッセージに対するＨＡＲＱ−ＡＣＫをＰＣｅｌｌのＰＵＣＣＨで送信する。
【００６３】
ユーザ端末ＵＥは、ＲＲＣメッセージを受信してからＰＵＣＣＨ設定ＳＣｅｌｌ変更完了を報告するまでの間にＰＵＣＣＨ設定ＳＣｅｌｌを切り替える。このＲＲＣメッセージを受信してからＰＵＣＣＨ設定ＳＣｅｌｌ変更完了を報告するまでの間を、あいまい（Ambiguity）区間と呼ぶ。
【００６４】
あいまい（Ambiguity）区間では、ユーザ端末ＵＥは、受信したＲＲＣメッセージに従って無線リソース制御（ＲＲＣ）の設定を切り替える。切り替えに要する時間はユーザ端末ＵＥの実装によって異なる。換言すれば、無線基地局ｅＮＢは、ユーザ端末ＵＥがあいまい（Ambiguity）区間のどこで無線リソース制御（ＲＲＣ）の設定を切り替えているか、厳密には認識することや把握することができない。
【００６５】
切り替え完了後、ユーザ端末ＵＥはＭｅＮＢに対してＰＵＣＣＨ設定ＳＣｅｌｌ変更完了報告を含むＲＲＣ  ｒｅｃｏｎｆｉｇｕｒａｔｉｏｎ  ｃｏｍｐｌｅｔｅを送信する（ＳＴ１０５）。
【００６６】
変更完了報告を受信したＭｅＮＢはＳｅＮＢに対してＰＵＣＣＨ設定ＳＣｅｌｌ変更完了報告を送信する（ＳＴ１０６）。変更完了報告を受信したＳｅＮＢはＭｅＮＢに対してＡＣＫを送信する（ＳＴ１０７）。そして、ＳｅＮＢはＰＵＣＣＨ設定ＳＣｅｌｌを切り替える（ＳＴ１０８）。これにより、ＳＣＧのＰＵＣＣＨ設定ＳＣｅｌｌは、変更前のセルＣ３から変更後のセルＣ４に切り替わる（図５Ｃ参照）。
【００６７】
たとえば、ＳｅＮＢとＭｅＮＢの間のシグナリング（ＰＵＣＣＨ設定ＳＣｅｌｌ変更要求や完了報告、ＡＣＫなど）はバックホールを通じて送受信されるが、その遅延はバックホールの種類やトラフィック、ｅＮＢ間の伝送距離などに依存する。また、ＭｅＮＢからユーザ端末ＵＥに対するＲＲＣメッセージは必ず正しく送受信されるとは限らず、再送制御が発生する可能性がある。さらに前述のように、ユーザ端末ＵＥは、ＲＲＣメッセージを受信してから設定完了に要する時間が実装によって異なる。このような理由により、ＳｅＮＢがＭｅＮＢに対してＰＵＣＣＨ設定ＳＣｅｌｌ変更要求を送信してから、ＭｅＮＢからＰＵＣＣＨ設定ＳＣｅｌｌ変更完了報告を受信するまでの間は、ＳｅＮＢにとってのあいまい（Ambiguity）区間となる。
【００６８】
したがって、このあいまい区間では、ＳｅＮＢはＳＣＧを構成するセルに対して下りリンクスケジューリングしないものとする（図５Ｂ参照）。なお、ユーザ端末ＵＥは、ＭＣＧから受信したＰＵＣＣＨ設定ＳＣｅｌｌ変更指示に対するＰＵＣＣＨを送信してから設定完了報告を送信するまでの間のどこかのタイミングで、ＰＵＣＣＨ設定ＳＣｅｌｌを変更すればよい。
【００６９】
続いて、図６および図７に基づいてキャリアアグリゲーション（ＣＡ）の場合におけるＰＵＣＣＨ設定ＳＣｅｌｌの変更手順について説明する。
【００７０】
図７Ａに示すように、ＰＵＣＣＨ設定ＳＣｅｌｌ変更前において、ＹＣＧのＰＵＣＣＨ設定ＳＣｅｌｌはセルＣ３である。図７Ｃに示すように、ＰＵＣＣＨ設定ＳＣｅｌｌ変更後において、ＹＣＧのＰＵＣＣＨ設定ＳＣｅｌｌはセルＣ４とする。
【００７１】
図６に示すように、まず無線基地局ｅＮＢがユーザ端末ＵＥに対してＰＵＣＣＨ設定ＳＣｅｌｌ変更指示を含むＲＲＣメッセージを送信し、ＲＲＣ  ｒｅｃｏｎｆｉｇｕｒａｔｉｏｎを指示する（ＳＴ２０１）。変更指示を受信したユーザ端末ＵＥは無線基地局ｅＮＢに対してＡＣＫを送信する（ＳＴ２０２）。
【００７２】
キャリアアグリゲーション（ＣＡ）の場合、ＰＵＣＣＨ設定ＳＣｅｌｌ変更指示を含むＲＲＣメッセージは、ＸＣＧおよびＹＣＧに属するいずれのセルでも送信できる。ユーザ端末ＵＥは、ＲＲＣメッセージを受信した場合、このＲＲＣメッセージが送受信されたセルが属するセルグループ（ＣＧ）でＰＵＣＣＨが設定されたセルによりＨＡＲＱ−ＡＣＫを送信する。
【００７３】
ユーザ端末ＵＥは、ＰＣｅｌｌを含むセルグループ、すなわちＸＣＧでＲＲＣメッセージを受信した場合、このＲＲＣメッセージに対するＨＡＲＱ−ＡＣＫをＰＣｅｌｌのＰＵＣＣＨで送信する。
【００７４】
ユーザ端末ＵＥは、ＰＣｅｌｌを含まないセルグループ、すなわちＹＣＧでＲＲＣメッセージを受信した場合、このＲＲＣ  ｍｅｅｓｓａｇｅに対するＨＡＲＱ−ＡＣＫを変更前のＰＵＣＣＨ設定セルで、かつ、変更前のＰＵＣＣＨリソース割り当て法に基づいて送信する。
【００７５】
ユーザ端末ＵＥは、ＲＲＣメッセージを受信してからＰＵＣＣＨ設定ＳＣｅｌｌ変更完了を報告するまでの間にＰＵＣＣＨ設定ＳＣｅｌｌを切り替える。このＲＲＣメッセージを受信してからＰＵＣＣＨ設定ＳＣｅｌｌ変更完了を報告するまでの間を、あいまい（Ambiguity）区間と呼ぶ。
【００７６】
あいまい（Ambiguity）区間では、ユーザ端末ＵＥは、受信したＲＲＣメッセージに従って無線リソース制御（ＲＲＣ）の設定を切り替える。切り替えに要する時間はユーザ端末ＵＥの実装によって異なる。換言すれば、無線基地局ｅＮＢは、ユーザ端末ＵＥがあいまい（Ambiguity）区間のどこで無線リソース制御（ＲＲＣ）の設定を切り替えているか、厳密には認識することや把握することができない。
【００７７】
切り替え完了後、ユーザ端末ＵＥは無線基地局ｅＮＢに対してＰＵＣＣＨ設定ＳＣｅｌｌ変更完了報告を含むＲＲＣ  ｒｅｃｏｎｆｉｇｕｒａｔｉｏｎ  ｃｏｍｐｌｅｔｅを送信する（ＳＴ２０３）。変更完了報告を受信した無線基地局ｅＮＢはユーザ端末ＵＥに対してＡＣＫを送信する（ＳＴ２０４）。そして、無線基地局ｅＮＢはＰＵＣＣＨ設定ＳＣｅｌｌを切り替える（ＳＴ２０５）。これにより、ＹＣＧのＰＵＣＣＨ設定ＳＣｅｌｌは、変更前のセルＣ３から変更後のセルＣ４に切り替わる（図７Ｃ参照）。
【００７８】
キャリアアグリゲーション（ＣＡ）では理想的バックホールが前提であることから、無線基地局ｅＮＢ間がバックホールを通じてシグナリングする遅延が発生しない。したがって、無線基地局ｅＮＢがユーザ端末ＵＥに対してＰＵＣＣＨ設定ＳＣｅｌｌ変更指示を送信してから、ユーザ端末ＵＥからＰＵＣＣＨ設定ＳＣｅｌｌ変更完了報告を受信するまでの間は、ＹＣＧにとってのあいまい（Ambiguity）区間となる。
【００７９】
したがって、このあいまい区間では、ｅＮＢはＹＣＧを構成するセルに対して下りリンクスケジューリングしないものとする（図７Ｂ参照）。なお、ユーザ端末ＵＥは、受信したＰＵＣＣＨ設定ＳＣｅｌｌ変更指示に対するＰＵＣＣＨを送信してから設定完了報告を送信するまでの間のどこかのタイミングで、ＰＵＣＣＨ設定ＳＣｅｌｌを変更すればよい。
【００８０】
このように、デュアルコネクティビティ（ＤＣ）の場合でもキャリアアグリゲーション（ＣＡ）の場合でも、ユーザ端末ＵＥがＰＵＣＣＨ設定ＳＣｅｌｌの変更を指示するＲＲＣメッセージに対するＨＡＲＱ−ＡＣＫを変更前のＰＵＣＣＨ送信設定で送信することにより、変更を指示するＲＲＣメッセージに対するＨＡＲＱ−ＡＣＫの送信セルおよびＰＵＣＣＨリソースの認識を無線基地局ｅＮＢとユーザ端末ＵＥとで一致させることができる。
【００８１】
たとえばユーザ端末ＵＥの実装や処理速度によっては、ＰＵＣＣＨ設定ＳＣｅｌｌ変更指示に対するＨＡＲＱ−ＡＣＫを送信するタイミングで、同時にＰＵＣＣＨ設定ＳＣｅｌｌの切り替えを同時に実現できる可能性もある。しかし、すべてのユーザ端末ＵＥがＨＡＲＱ−ＡＣＫ送信タイミングでのＰＵＣＣＨ設定ＳＣｅｌｌ切り替えを完了できるとは限らないため、無線基地局ｅＮＢにとっては、ユーザ端末ＵＥが、実装や処理速度によらず所定のルールに従って定まるＳＣｅｌｌでＨＡＲＱ−ＡＣＫを送信することが望ましい。このようにすることで、無線基地局ｅＮＢとユーザ端末ＵＥの間で、ＨＡＲＱ−ＡＣＫの送受信を齟齬なく行うことができる。
【００８２】
また、ＰＵＣＣＨ設定ＳＣｅｌｌの設定変更中にはＰＣｅｌｌを含まないセルグループ（ＣＧ）では下りリンクスケジューリングを行わないことにより、無線基地局ｅＮＢとユーザ端末ＵＥでのＰＵＣＣＨリソース認識の齟齬を回避できる。
【００８３】
ＰＵＣＣＨ設定ＳＣｅｌｌの設定変更中に下りリンクスケジューリングを行うか否かは無線基地局ｅＮＢの実装次第であり、ユーザ端末ＵＥはどのようなスケジューリング制約が行われているのかを認識しない。したがって、デュアルコネクティビティ（ＤＣ）の場合でもキャリアアグリゲーション（ＣＡ）の場合でも、ＰＵＣＣＨ設定ＳＣｅｌｌの変更中におけるユーザ端末ＵＥの動作は同一となるため、１つの実装で双方のケースをカバーできる。このため、ネットワークの構成に応じて異なるユーザ端末ＵＥの制御を組み込む必要が生じず、実装負担が少なく、コストを抑えることができる。
【００８４】
前述のように、下りリンクスケジューリング制約は無線基地局ｅＮＢの実装次第である。ユーザ端末ＵＥがいずれのＳＣｅｌｌ、いずれのＰＵＣＣＨリソースでＰＵＣＣＨを送信するのか不明な区間では、下りリンクスケジューリング制約をしないかわりに、無線基地局ｅＮＢが、変更前後両方のＳＣｅｌｌで両方のＰＵＣＣＨをモニタしてもよい。
【００８５】
図８に基づいてデュアルコネクティビティ（ＤＣ）の場合において、下りリンクスケジューリング制約せずに、変更前後のＳＣｅｌｌでＰＵＣＣＨをモニタする手順について説明する。
【００８６】
図８Ａに示すように、ＰＵＣＣＨ設定ＳＣｅｌｌ変更前において、ＳＣＧのＰＵＣＣＨ設定ＳＣｅｌｌはセルＣ３である。図８Ｃに示すように、ＰＵＣＣＨ設定ＳＣｅｌｌ変更後において、ＳＣＧのＰＵＣＣＨ設定ＳＣｅｌｌはセルＣ４とする。
【００８７】
したがって、ＳｅＮＢにとってのあいまい区間（図４参照）では、ユーザ端末ＵＥがセルＣ３とセルＣ４のどちらのセルでＰＵＣＣＨを送信するのか、ＳｅＮＢには判断がつかない。この場合、ＳｅＮＢは、下りリンクスケジューリング制約をしないかわりに、すなわち下りリンクのデータが発生した場合には、ＰＵＣＣＨ設定ＳＣｅｌｌの変更を指示していない場合と同様に下りリンクのスケジューリングを行いつつ、変更前後の両方のＳＣｅｌｌ、すなわちセルＣ３およびセルＣ４の両方でＰＵＣＣＨをモニタしてもよい（図８Ｂ参照）。
【００８８】
続いて、図９に基づいてキャリアアグリゲーション（ＣＡ）の場合において、下りリンクスケジューリング制約せずに、変更前後のＳＣｅｌｌでＰＵＣＣＨをモニタする手順について説明する。
【００８９】
図９Ａに示すように、ＰＵＣＣＨ設定ＳＣｅｌｌ変更前において、ＹＣＧのＰＵＣＣＨ設定ＳＣｅｌｌはセルＣ３である。図９Ｃに示すように、ＰＵＣＣＨ設定ＳＣｅｌｌ変更後において、ＹＣＧのＰＵＣＣＨ設定ＳＣｅｌｌはセルＣ４とする。
【００９０】
したがって、ＹＣＧにとってのあいまい区間（図６参照）では、ユーザ端末ＵＥがセルＣ３とセルＣ４のどちらのセルでＰＵＣＣＨを送信するのか、無線基地局ｅＮＢには判断がつかない。この場合、無線基地局ｅＮＢは、下りリンクスケジューリング制約をしないかわりに、すなわち下りリンクのデータが発生した場合には、ＰＵＣＣＨ設定ＳＣｅｌｌの変更を指示していない場合と同様に下りリンクのスケジューリングを行いつつ、変更前後の両方のＳＣｅｌｌ、すなわちセルＣ３およびセルＣ４の両方でＰＵＣＣＨをモニタしてもよい（図９Ｂ参照）。
【００９１】
あいまい区間において、ユーザ端末ＵＥがＰＵＣＣＨを送信するのは、変更前後いずれかのＳＣｅｌｌである。したがって、このように変更前後の両方のＳＣｅｌｌでＰＵＣＣＨをモニタすることにより、無線基地局ｅＮＢが下りリンクスケジューリング制約を実装しない場合であっても、無線基地局ｅＮＢとユーザ端末ＵＥでのＰＵＣＣＨリソース認識の齟齬を回避できる。
【００９２】
次に、第１の態様の変形例について説明する。上記では、ＲＲＣメッセージによってＰＵＣＣＨ設定ＳＣｅｌｌの変更を指示する場合について説明したが、ＲＲＣメッセージとＭＡＣ  ＣＥ（Control  Element）との組み合わせによってＰＵＣＣＨ設定ＳＣｅｌｌの変更を指示してもよい。
【００９３】
具体的には、無線基地局ｅＮＢは、あらかじめＲＲＣメッセージによって複数のＰＵＣＣＨ設定セルを設定しておく。そして、無線基地局ｅＮＢは、必要に応じてＭＡＣ  ＣＥによって実際にＰＵＣＣＨを送信するＳＣｅｌｌを指示する。図１０Ａに示す例では、デュアルコネクティビティ（ＤＣ）の場合において、ＲＲＣメッセージによってセルＣ３およびセルＣ４をＰＵＣＣＨ設定ＳＣｅｌｌとして設定し、ＭＡＣ  ＣＥによってセルＣ３かセルＣ４かのどちらかを実際にＰＵＣＣＨを送信するＳＣｅｌｌとして指示する。図１０Ｂに示すように、キャリアアグリゲーション（ＣＡ）の場合においても同様である。
【００９４】
デュアルコネクティビティ（ＤＣ）の場合、ＲＲＣメッセージはＭＣＧに属するセルで送信される。したがって、ＳｅＮＢは、現在設定中であるＰＵＣＣＨ設定ＳＣｅｌｌとは異なる、ＰＵＣＣＨ設定ＳＣｅｌｌ候補となるＳＣｅｌｌを、ＭｅＮＢを介してユーザ端末ＵＥに通知しておく。そしてＳｅＮＢは、ＭＡＣ  ＣＥに含まれるシグナリングにより、あらかじめＰＵＣＣＨ設定ＳＣｅｌｌ候補として通知していたＳＣｅｌｌの中から、実際にＰＵＣＣＨ送信に用いるＳＣｅｌｌをユーザ端末ＵＥに指示する。
【００９５】
なお、ユーザ端末ＵＥは、ＲＲＣメッセージに対してあいまい区間が必要なのと同様に、ＭＡＣ  ＣＥで指示を受けてからＰＵＣＣＨ送信ＳＣｅｌｌを切り替えるまでに実装や処理速度に応じた遅延が必要となる。したがって、この変形例では、ユーザ端末ＵＥは、ＭＡＣ  ＣＥにＰＵＣＣＨ送信ＳＣｅｌｌの変更指示が含まれる下りリンクデータに対するＰＵＣＣＨを、変更前のＰＵＣＣＨ設定ＳＣｅｌｌで送信するものとする。
【００９６】
キャリアアグリゲーション（ＣＡ）の場合、ＲＲＣメッセージはいずれのセルでも送信できる。したがって、無線基地局ｅＮＢは、現在設定中であるＰＵＣＣＨ設定ＳＣｅｌｌとは異なる、ＰＵＣＣＨ設定候補となるＳＣｅｌｌを、直接ユーザ端末ＵＥに通知しておく。そして無線基地局ｅＮＢは、ＭＡＣ  ＣＥに含まれるシグナリングにより、あらかじめＰＵＣＣＨ設定ＳＣｅｌｌ候補として通知していたＳＣｅｌｌの中から、実際にＰＵＣＣＨ送信に用いるＳＣｅｌｌをユーザ端末ＵＥに指示する。
【００９７】
なお、ユーザ端末ＵＥは、ＲＲＣメッセージに対してあいまい区間が必要なのと同様に、ＭＡＣ  ＣＥで指示を受けてからＰＵＣＣＨ送信ＳＣｅｌｌを切り替えるまでに実装や処理速度に応じた遅延が必要となる。したがって、この変形例では、ユーザ端末ＵＥは、ＭＡＣ  ＣＥにＰＵＣＣＨ送信ＳＣｅｌｌの変更指示が含まれる下りリンクデータに対するＰＵＣＣＨを、変更前のＰＵＣＣＨ設定ＳＣｅｌｌで送信するものとする。
【００９８】
ＭＡＣ  ＣＥによる変更指示では、ＲＲＣメッセージによる変更指示に比べてユーザ端末ＵＥが必要とするあいまい区間を短くできる。したがって、この変形例によれば、ＭＡＣ  ＣＥによって実際にＰＵＣＣＨを送信するＳＣｅｌｌを選択することにより、あいまい区間をより短くできる。また、ＭＡＣ  ＣＥによる変更指示を含む下りデータに対するＰＵＣＣＨ送信は変更前のＰＵＣＣＨ設定ＳＣｅｌｌで行うものとしておくことにより、無線基地局ｅＮＢとユーザ端末ＵＥでのＰＵＣＣＨリソース認識の齟齬を回避できる。
【００９９】
第１の態様において、ＰＵＣＣＨ設定ＳＣｅｌｌの設定変更中であっても、ＰＣｅｌｌを含むセルグループ（第１の態様で示した例では、デュアルコネクティビティ（ＤＣ）の場合ＭＣＧ、キャリアアグリゲーション（ＣＡ）の場合ＸＣＧ）では途切れずに通信を継続していてもよい。ＰＵＣＣＨ設定ＳＣｅｌｌの設定変更中であっても、ＰＣｅｌｌの下りリンク割り当てと、それに対するＰＣｅｌｌでのＰＵＣＣＨ送信は変わらないためである。これにより、ＰＵＣＣＨ設定ＳＣｅｌｌの設定変更中であっても、データ送受信を途切れずに行うことができる。
【０１００】
ＰＵＣＣＨ設定ＳＣｅｌｌの設定変更中であっても、ＰＣｅｌｌでは途切れずに通信を継続する場合、誤り検出（False  alarm）により切替前後のセルの両方で同時にＰＵＣＣＨを受信する可能性がある。すなわち、無線基地局ｅＮＢが切替前後のＳＣｅｌｌの両方でＰＵＣＣＨを検出してしまう可能性がある。
【０１０１】
この場合には、より信頼度の高いＰＵＣＣＨが採用され、採用されなかったＰＵＣＣＨは破棄されるルールとしてもよい。「より信頼度の高いＰＵＣＣＨ」とは、たとえばユーザ端末ＵＥから報告される参照信号受信電力（ＲＳＲＰ）の高い方、無線基地局ｅＮＢにおけるＰＵＣＣＨの受信信号電力が強い方、ユーザ端末ＵＥから報告されるＣＱＩ（Channel  Quality  Indicator）により品質が良いことが明確である方、ユーザ端末ＵＥが送信されるＳＲＳ（Sounding  Reference  Signal）を無線基地局ｅＮＢが受信し、通信品質が良いと判断される方、などである。また、これらの信頼度に対して品質が十分良いと判断できる閾値を設けておき、いずれのＰＵＣＣＨの信頼度もその閾値を上回らない場合、両方のＰＵＣＣＨとも破棄されるルールとしてもよい。
【０１０２】
また、あいまい区間で受信されるＰＵＣＣＨや信頼度が低く採用されなかったＰＵＣＣＨは、上りリンク同期判定やＴＡ（Timing  Advance）算出に用いられないルールとしてもよい。
【０１０３】
また、第１の態様において、ＰＵＣＣＨ設定ＳＣｅｌｌの設定変更指示は必ずＰＣｅｌｌを含むセルグループ（ＣＧ）で行うこととしてもよい。デュアルコネクティビティ（ＤＣ）の場合には、ＰＵＣＣＨ設定ＳＣｅｌｌの設定変更指示は必ずＰＣｅｌｌを含むセルグループであるＭＣＧで送信される。キャリアアグリゲーション（ＣＡ）の場合には、ＰＵＣＣＨ設定ＳＣｅｌｌの設定変更指示はＰＣｅｌｌを含むセルグループであるＸＣＧまたはＰＣｅｌｌを含まないセルグループであるＹＣＧで送信される可能性があるが、必ずＸＣＧで送信されるルールとする。
【０１０４】
ＰＵＣＣＨ設定ＳＣｅｌｌの設定変更指示を必ずＰＣｅｌｌを含むセルグループ（ＣＧ）で行うことにより、デュアルコネクティビティ（ＤＣ）とキャリアアグリゲーション（ＣＡ）とで、ＰＵＣＣＨ設定ＳＣｅｌｌの設定変更動作を完全に一致するものとすることができる。したがって、より統一的な仕組みでデュアルコネクティビティ（ＤＣ）とキャリアアグリゲーション（ＣＡ）の両方をサポートできる。
【０１０５】
（第２の態様）
第２の態様では、ＰＵＣＣＨ設定ＳＣｅｌｌでＨＡＲＱ−ＡＣＫに加えて、チャネル品質報告（ＣＱＩ）とスケジューリング要求（ＳＲ）の両方またはいずれか一方も送信するよう設定されている場合における、ＰＵＣＣＨ設定ＳＣｅｌｌの変更手順について説明する。
【０１０６】
図１１に示すように、ＰＵＣＣＨ設定ＳＣｅｌｌでは、ＨＡＲＱ−ＡＣＫに加えて、ＣＱＩとＳＲの両方またはいずれか一方の送信も設定されている可能性がある。ユーザ端末ＵＥは、あらかじめ指示されたＰＵＣＣＨリソースおよび周期でＣＱＩとＳＲの両方またはいずれか一方を送信する。ＣＱＩ報告ＰＵＣＣＨリソースおよび周期とＳＲ送信ＰＵＣＣＨリソースおよび周期は同一であってもよいし、異なってもよい。以下では、周期送信されるＰＵＣＣＨを単にＣＱＩと記載するが、これはＣＱＩ報告に限定されるものでなく、ＳＲも含むものとする。
【０１０７】
ユーザ端末ＵＥは、ＰＵＣＣＨ設定ＳＣｅｌｌの変更指示を受信した際に、ＣＱＩを送信するＰＵＣＣＨセル、ＰＵＣＣＨリソースおよび送信周期を、どのタイミングで切り替えるのか判断できないことが想定される。
【０１０８】
デュアルコネクティビティ（ＤＣ）の場合、ＳｅＮＢがＭｅＮＢにＰＵＣＣＨ設定ＳＣｅｌｌの切り替えを依頼し、ユーザ端末ＵＥが実際にＰＵＣＣＨ設定ＳＣｅｌｌを変更するまで（図４における区間１）は、ユーザ端末ＵＥは切替前のＰＵＣＣＨ設定ＳＣｅｌｌでＣＱＩを周期送信し続ける。
【０１０９】
そして、ユーザ端末ＵＥは、あいまい区間のどこかでＣＱＩ送信設定を切り替える。
【０１１０】
その後、図４における区間２では、ユーザ端末ＵＥは、切替後のＰＵＣＣＨ設定ＳＣｅｌｌでＣＱＩを周期送信する。一方、ＳｅＮＢがＰＵＣＣＨ設定ＳＣｅｌｌ変更完了報告を受信するのは、ユーザ端末ＵＥがＭｅＮＢに対してＲＲＣ  ｒｅｃｏｎｆｉｇｕｒａｔｉｏｎ  ｃｏｍｐｌｅｔｅを送信してしばらく経ってからである。
【０１１１】
したがって、ＳｅＮＢはユーザ端末ＵＥがいつＣＱＩを送信するＰＵＣＣＨを切り替えるのか認識することができない。
【０１１２】
キャリアアグリゲーション（ＣＡ）の場合も同様に、ユーザ端末ＵＥは、図６における区間１では切替前のＰＵＣＣＨ設定ＳＣｅｌｌでＣＱＩを送信し、あいまい区間のどこかでＣＱＩ送信設定を切り替えて、図６における区間２では切替後のＰＵＣＣＨ設定ＳＣｅｌｌでＣＱＩを送信する。
【０１１３】
キャリアアグリゲーション（ＣＡ）の場合は、デュアルコネクティビティ（ＤＣ）の場合と比べて、ＭｅＮＢとＳｅＮＢとの間のやり取りがないため、ＹＣＧにとってのあいまい区間を短くできる。しかし、無線基地局ｅＮＢはユーザ端末ＵＥがいつＣＱＩを送信するＰＵＣＣＨを切り替えるのか認識することができない。
【０１１４】
したがって、無線基地局ｅＮＢは、切替前のＰＵＣＣＨリソースを開放するタイミングを判断することができない。そのため、たとえば無線基地局ｅＮＢが切り替え完了を判断できるまで、このＰＵＣＣＨリソースを他のユーザ端末ＵＥに割り当てることができない。また、無線基地局ｅＮＢは、ユーザ端末ＵＥがＣＱＩを送信しているＰＵＣＣＨリソースを正確に把握できないため、ユーザ端末ＵＥがＰＵＣＣＨリソースを切り替えた後でも、切り替え前のＰＵＣＣＨリソースでＣＱＩ報告受信を試みる可能性がある。この場合、無線基地局ｅＮＢは、ユーザ端末ＵＥの誤ったチャネル品質を観測することになる。
【０１１５】
さらに、無線基地局ｅＮＢは、ユーザ端末ＵＥがＰＵＣＣＨセルおよびリソースを変更するタイミングを認識できない。
【０１１６】
そこで、第２の態様において、ユーザ端末ＵＥは、ＰＵＣＣＨ設定ＳＣｅｌｌの変更指示を受信すると、変更前のＰＵＣＣＨ設定ＳＣｅｌｌにおけるＣＱＩ報告を停止する。変更後のＰＵＣＣＨ設定ＳＣｅｌｌにおけるＣＱＩ報告は、ＰＵＣＣＨ設定ＳＣｅｌｌ変更後に無線基地局ｅＮＢが改めて通知する。
【０１１７】
図１２に基づいてデュアルコネクティビティ（ＤＣ）の場合におけるＣＱＩ報告リソースの変更手順の一例について説明する。
【０１１８】
図１２に示すように、まずＳｅＮＢがＭｅＮＢに対してＰＵＣＣＨ設定ＳＣｅｌｌ変更要求を送信する際に、変更後のＣＱＩ報告リソースも通知する（ＳＴ３０１）。これらは同一のシグナリングで通知されてもよいし、別々にシグナリングされてもよい。ＰＵＣＣＨ設定ＳＣｅｌｌ変更要求を受信したＭｅＮＢは、ＳｅＮＢに対してＡＣＫを送信する（ＳＴ３０２）。
【０１１９】
ＭｅＮＢはユーザ端末ＵＥに対してＰＵＣＣＨ設定ＳＣｅｌｌ変更指示および変更後のＣＱＩ報告リソースを含むＲＲＣメッセージを送信し、ＲＲＣ  ｒｅｃｏｎｆｉｇｕｒａｔｉｏｎを指示する（ＳＴ３０３）。これらを受信したユーザ端末ＵＥは、ＭｅＮＢに対してＡＣＫを送信し（ＳＴ３０４）、変更前のＣＱＩ報告ＰＵＣＣＨの送信を停止する。
【０１２０】
ユーザ端末ＵＥは、ＲＲＣメッセージを受信してからＰＵＣＣＨ設定ＳＣｅｌｌ変更完了を報告するまでの間にＰＵＣＣＨ設定ＳＣｅｌｌを切り替える。切り替え完了後、ユーザ端末ＵＥはＭｅＮＢに対してＰＵＣＣＨ設定ＳＣｅｌｌ変更完了報告を含むＲＲＣ  ｒｅｃｏｎｆｉｇｕｒａｔｉｏｎ  ｃｏｍｐｌｅｔｅを送信する（ＳＴ３０５）。
【０１２１】
変更完了報告を受信したＭｅＮＢはＳｅＮＢに対してＰＵＣＣＨ設定ＳＣｅｌｌ変更完了報告を送信する（ＳＴ３０６）。変更完了報告を受信したＳｅＮＢはＭｅＮＢに対してＡＣＫを送信する（ＳＴ３０７）。そして、ＳｅＮＢはＰＵＣＣＨ設定ＳＣｅｌｌを切り替える（ＳＴ３０８）。
【０１２２】
ユーザ端末ＵＥがＰＵＣＣＨ設定ＳＣｅｌｌを変更した後に、ＳｅＮＢはユーザ端末ＵＥに対して変更後のＰＵＣＣＨ設定ＳＣｅｌｌでのＣＱＩ報告開始をトリガする（ＳＴ３０９）。トリガとしては、ＲＲＣ制御信号、ＭＡＣ  ＣＥ、ＰＤＣＣＨ（たとえばＡｐｅｒｉｏｄｉｃ  ＣＱＩトリガ）などを使用できる。
【０１２３】
ユーザ端末ＵＥは変更後のＰＵＣＣＨ設定ＳＣｅｌｌでのＣＱＩ報告を開始する。なお、ユーザ端末ＵＥはＣＱＩ報告開始前からＣＱＩ測定を開始していてもよい。たとえばユーザ端末ＵＥにとってのあいまい区間でＰＵＣＣＨ設定ＳＣｅｌｌを切り替えたタイミング以降、またはユーザ端末ＵＥがＰＵＣＣＨ設定ＳＣｅｌｌ完了報告送信したタイミング以降に、ＣＱＩ測定を行うことができる。このように、ＣＱＩ報告は行わずともＣＱＩ測定をできるだけ早いタイミングで開始することで、ＣＱＩを時間的に平均化することができ、ＣＱＩ報告開始直後により正確なＣＱＩを報告することが可能となる。
【０１２４】
デュアルコネクティビティ（ＤＣ）の場合の他の例として、ＳｅＮＢがＭｅＮＢからＰＵＣＣＨ設定ＳＣｅｌｌ変更完了報告を受信してから（ＳＴ３０６）、改めてＳｅＮＢがユーザ端末ＵＥに対してＣＱＩ報告リソースの設定を要求する手順であってもよい。
【０１２５】
図１３に基づいてデュアルコネクティビティ（ＤＣ）の場合におけるＣＱＩ報告リソースの変更手順の他の例について説明する。図１３において、図１２と同一の手順を示す場合には同一の符号を付している。
【０１２６】
図１３に示すように、まずＳｅＮＢがＭｅＮＢに対してＰＵＣＣＨ設定ＳＣｅｌｌ変更要求を送信する際に、変更後のＣＱＩ報告リソースも通知する（ＳＴ３０１）。これらを受信したＭｅＮＢは、ＳｅＮＢに対してＡＣＫを送信する（ＳＴ３０２）。これらは同一のシグナリングで通知されてもよいし、別々にシグナリングされてもよい。
【０１２７】
ＭｅＮＢはユーザ端末ＵＥに対してＰＵＣＣＨ設定ＳＣｅｌｌ変更指示を含むＲＲＣメッセージを送信し、ＲＲＣ  ｒｅｃｏｎｆｉｇｕｒａｔｉｏｎを指示する（ＳＴ３０３ａ）。これを受信したユーザ端末ＵＥは、ＭｅＮＢに対してＡＣＫを送信し（ＳＴ３０４）、変更前のＣＱＩ報告ＰＵＣＣＨの送信を停止する。
【０１２８】
ユーザ端末ＵＥは、ＲＲＣメッセージを受信してからＰＵＣＣＨ設定ＳＣｅｌｌ変更完了を報告するまでの間にＰＵＣＣＨ設定ＳＣｅｌｌを切り替える。切り替え完了後、ユーザ端末ＵＥはＭｅＮＢに対してＰＵＣＣＨ設定ＳＣｅｌｌ変更完了報告を含むＲＲＣ  ｒｅｃｏｎｆｉｇｕｒａｔｉｏｎ  ｃｏｍｐｌｅｔｅを送信する（ＳＴ３０５）。
【０１２９】
変更完了報告を受信したＭｅＮＢはＳｅＮＢに対してＰＵＣＣＨ設定ＳＣｅｌｌ変更完了報告を送信する（ＳＴ３０６）。変更完了報告を受信したＳｅＮＢはＭｅＮＢに対してＡＣＫを送信する（ＳＴ３０７）。そして、ＳｅＮＢはＰＵＣＣＨ設定ＳＣｅｌｌを切り替える（ＳＴ３０８）。
【０１３０】
その後ＳｅＮＢは、改めてユーザ端末ＵＥに対してＣＱＩ用ＰＵＣＣＨの設定を要求する（ＳＴ３０９ａ）。ユーザ端末は、変更後のＰＵＣＣＨ設定ＳＣｅｌｌでのＣＱＩ報告を開始する。
【０１３１】
図１３に示した手順では、ＰＵＣＣＨ設定ＳＣｅｌｌの変更処理を開始する前にＣＱＩ用ＰＵＣＣＨリソースを予約するのではなく、変更後のＰＵＣＣＨ設定ＳＣｅｌｌが設定されてからＣＱＩ用ＰＵＣＣＨリソースを指示するため、状況に応じた的確なＣＱＩ用リソース割り当てが可能となる。
【０１３２】
続いて、図１４に基づいてキャリアアグリゲーション（ＣＡ）の場合におけるＣＱＩ報告リソースの変更手順の一例について説明する。
【０１３３】
図１４に示すように、まず無線基地局ｅＮＢがユーザ端末ＵＥに対してＰＵＣＣＨ設定ＳＣｅｌｌ変更指示および変更後のＣＱＩ報告リソースを含むＲＲＣメッセージを送信し、ＲＲＣ  ｒｅｃｏｎｆｉｇｕｒａｔｉｏｎを指示する（ＳＴ４０１）。すなわち、無線基地局ｅＮＢはユーザ端末ＵＥに対してＰＵＣＣＨ設定ＳＣｅｌｌ変更指示に加えて変更後のＣＱＩ報告リソースを指示する。
【０１３４】
これらを受信したユーザ端末ＵＥは無線基地局ｅＮＢに対してＡＣＫを送信し（ＳＴ４０２）、変更前のＣＱＩ報告ＰＵＣＣＨの送信を停止する。
【０１３５】
ユーザ端末ＵＥは、ＲＲＣメッセージを受信してからＰＵＣＣＨ設定ＳＣｅｌｌ変更完了を報告するまでの間にＰＵＣＣＨ設定ＳＣｅｌｌを切り替える。切り替え完了後、ユーザ端末ＵＥは無線基地局ｅＮＢに対してＰＵＣＣＨ設定ＳＣｅｌｌ変更完了報告を含むＲＲＣ  ｒｅｃｏｎｆｉｇｕｒａｔｉｏｎ  ｃｏｍｐｌｅｔｅを送信する（ＳＴ４０３）。
【０１３６】
変更完了報告を受信した無線基地局ｅＮＢはユーザ端末ＵＥに対してＡＣＫを送信する（ＳＴ４０４）。そして、無線基地局ｅＮＢはＰＵＣＣＨ設定ＳＣｅｌｌを切り替える（ＳＴ４０５）。
【０１３７】
ユーザ端末ＵＥがＰＵＣＣＨ設定ＳＣｅｌｌを変更した後に、無線基地局ｅＮＢは変更後のＰＵＣＣＨ設定ＳＣｅｌｌでのＣＱＩ報告開始をトリガする。トリガとしては、ＲＲＣ制御信号、ＭＡＣ  ＣＥ、ＰＤＣＣＨ（たとえばＡｐｅｒｉｏｄｉｃ  ＣＱＩトリガ）などを使用できる。また、ＰＵＣＣＨ設定ＳＣｅｌｌ変更完了報告に対するＡＣＫそのものをトリガとしてもよい。この場合には、ＰＵＣＣＨ設定ＳＣｅｌｌの切替完了確認と同時にＣＱＩの観測を開始できる。
【０１３８】
ユーザ端末ＵＥは変更後のＰＵＣＣＨ設定ＳＣｅｌｌでのＣＱＩ報告を開始する。
【０１３９】
キャリアアグリゲーション（ＣＡ）の場合の他の例として、無線基地局ｅＮＢがユーザ端末ＵＥからＰＵＣＣＨ設定ＳＣｅｌｌ変更完了報告を受信し（ＳＴ４０３）、当該報告に対してＡＣＫを送信してから（ＳＴ４０４）、改めて無線基地局ｅＮＢがユーザ端末ＵＥに対してＣＱＩ報告リソースの設定を指示する手順であってもよい。
【０１４０】
図１５に基づいてキャリアアグリゲーション（ＣＡ）の場合におけるＣＱＩ報告リソースの変更手順の他の例について説明する。図１５において、図１４と同一の手順を示す場合には同一の符号を付している。
【０１４１】
図１５に示すように、まず無線基地局ｅＮＢがユーザ端末ＵＥに対してＰＵＣＣＨ設定ＳＣｅｌｌ変更指示を含むＲＲＣメッセージを送信し、ＲＲＣ  ｒｅｃｏｎｆｉｇｕｒａｔｉｏｎを指示する（ＳＴ４０１ａ）。これを受信したユーザ端末ＵＥは無線基地局ｅＮＢに対してＡＣＫを送信し（ＳＴ４０２）、変更前のＣＱＩ報告ＰＵＣＣＨの送信を停止する。
【０１４２】
ユーザ端末ＵＥは、ＲＲＣメッセージを受信してからＰＵＣＣＨ設定ＳＣｅｌｌ変更完了を報告するまでの間にＰＵＣＣＨ設定ＳＣｅｌｌを切り替える。切り替え完了後、ユーザ端末ＵＥは無線基地局ｅＮＢに対してＰＵＣＣＨ設定ＳＣｅｌｌ変更完了報告を含むＲＲＣ  ｒｅｃｏｎｆｉｇｕｒａｔｉｏｎ  ｃｏｍｐｌｅｔｅを送信する（ＳＴ４０３）。
【０１４３】
変更完了報告を受信した無線基地局ｅＮＢはユーザ端末ＵＥに対してＡＣＫを送信する（ＳＴ４０４ａ）。そして、無線基地局ｅＮＢはＰＵＣＣＨ設定ＳＣｅｌｌを切り替える（ＳＴ４０５）。
【０１４４】
その後、無線基地局ｅＮＢは、改めてユーザ端末ＵＥに対してＣＱＩ報告リソースを指示する（ＳＴ４０６ａ）。ユーザ端末は、変更後のＰＵＣＣＨ設定ＳＣｅｌｌでのＣＱＩ報告を開始する。
【０１４５】
図１５に示した手順では、ＰＵＣＣＨ設定ＳＣｅｌｌの変更処理を開始する前にＣＱＩ用ＰＵＣＣＨリソースを予約するのではなく、変更後のＰＵＣＣＨ設定ＳＣｅｌｌが設定されてからＣＱＩ用ＰＵＣＣＨリソースを指示するため、状況に応じた的確なＣＱＩ用リソース割り当てが可能となる。
【０１４６】
第２の態様において、ＰＵＣＣＨ設定ＳＣｅｌｌを変更する場合、変更先のＳＣｅｌｌを必ず非アクティブ（Deactivate）状態としてもよい。すなわち、ユーザ端末ＵＥは、ＭＡＣ  ＣＥにより当該ＳＣｅｌｌをアクティブ状態とすることを指示されない限り、変更後のＳＣｅｌｌでＣＱＩ報告を行わない。
【０１４７】
したがって、無線基地局ｅＮＢはＰＵＣＣＨ設定ＳＣｅｌｌ変更指示前後において、ＭＡＣ  ＣＥによるアクティブコマンドで変更後のＳＣｅｌｌをアクティブ状態とするまで変更前のＳＣｅｌｌのＣＱＩ報告のみを監視すればよい。
【０１４８】
変更先のＳＣｅｌｌを非アクティブ状態とする方法としては、ＰＵＣＣＨ設定ＳＣｅｌｌ変更指示があった場合は別途のシグナリングやルールが無くとも必ず非アクティブ状態としておく方法の他にも、ＲＲＣメッセージに非アクティブ状態を指示するａｃｔｉｖａｔｉｏｎ／ｄｅａｃｔｉｖａｔｉｏｎ  ＭＡＣ  ＣＥを多重する方法がある。また、ＳＣｅｌｌ非アクティブタイマ（Deactivation  Timer）が満了したとみなして、ユーザ端末ＵＥが自律で非アクティブ状態となる方法がある。また、ＳＣｅｌｌ  ａｄｄｉｔｉｏｎ／ｒｅｍｏｖａｌを行う方法がある。
【０１４９】
変更後のＰＵＣＣＨ設定ＳＣｅｌｌからのＣＱＩ報告を抑制する方法として、変更後のＰＵＣＣＨ設定ＳＣｅｌｌが所属するＴＡＧ（Timing  Advance  Group）のＴＡタイマを満了したとみなす制御をする方法がある。ＴＡタイマが満了しているＴＡＧのサービングセルでは、ＲＡ（Random  Access）プリアンブル以外の上りリンク送信が禁止されているためである。
【０１５０】
（無線通信システムの構成）
以下、本実施の形態に係る無線通信システムの構成について説明する。この無線通信システムでは、上記第１の態様および第２の態様に係る無線通信方法が適用される。
【０１５１】
図１６は、本実施の形態に係る無線通信システムの一例を示す概略構成図である。図１６に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【０１５２】
図１６において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図１６に示す数に限られない。
【０１５３】
マクロセルＣ１およびスモールセルＣ２では、同一の周波数帯が用いられてもよいし、異なる周波数帯が用いられてもよい。また、無線基地局１１および１２は、基地局間インタフェース（たとえば、光ファイバ、Ｘ２インタフェース）を介して互いに接続される。
【０１５４】
無線基地局１１と無線基地局１２との間、無線基地局１１と他の無線基地局１１との間または無線基地局１２と他の無線基地局１２との間では、デュアルコネクティビティ（ＤＣ）またはキャリアアグリゲーション（ＣＡ）が適用される。
【０１５５】
ユーザ端末２０は、ＬＴＥ、ＬＴＥ−Ａなどの各種通信方式に対応した端末であり、移動通信端末だけでなく固定通信端末を含んでいてもよい。ユーザ端末２０は、無線基地局１０を経由して他のユーザ端末２０と通信を実行できる。
【０１５６】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【０１５７】
無線通信システム１では、下りリンクのチャネルとして、各ユーザ端末２０で共有される下り共有チャネル（ＰＤＳＣＨ：Physical  Downlink  Shared  Channel）、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ）が伝送される。
【０１５８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）などが用いられる。ＰＵＳＣＨにより、ユーザデータや上位レイヤ制御情報が伝送される。
【０１５９】
図１７は、本実施の形態に係る無線基地局１０の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、インターフェース部１０６とを備えている。
【０１６０】
下りリンクにより無線基地局１０からユーザ端末２０に送信されるユーザデータは、上位局装置３０からインターフェース部１０６を介してベースバンド信号処理部１０４に入力される。
【０１６１】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【０１６２】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。
【０１６３】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１６４】
各送受信部１０３は、無線リソース制御（ＲＲＣ）メッセージを送信し、またＰＵＣＣＨ設定セルからＰＵＣＣＨを受信する。
【０１６５】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インターフェース部１０６を介して上位局装置３０に転送される。呼処理部１０５は、通信チャネルの設定や解放などの呼処理や、無線基地局１０の状態管理や、無線リソースの管理を行う。
【０１６６】
インターフェース部１０６は、基地局間インターフェース（たとえば、光ファイバ、Ｘ２インターフェース）を介して隣接無線基地局と信号を送受信（バックホールシグナリング）する。あるいは、インターフェース部１０６は、所定のインターフェースを介して、上位局装置３０と信号を送受信する。
【０１６７】
図１８は、本実施の形態に係る無線基地局１０が有するベースバンド信号処理部１０４の主な機能構成図である。図１８に示すように、無線基地局１０が有するベースバンド信号処理部１０４は、制御部３０１と、下り制御信号生成部３０２と、下りデータ信号生成部３０３と、マッピング部３０４と、デマッピング部３０５と、チャネル推定部３０６と、上り制御信号復号部３０７と、上りデータ信号復号部３０８と、判定部３０９と、を少なくとも含んで構成されている。
【０１６８】
制御部３０１は、ＰＤＳＣＨで送信される下りユーザデータ、ＰＤＣＣＨと拡張ＰＤＣＣＨ（ＥＰＤＣＣＨ）の両方、またはいずれか一方で伝送される下り制御情報、下り参照信号などのスケジューリングを制御する。また、制御部３０１は、ＰＲＡＣＨで伝送されるＲＡプリアンブル、ＰＵＳＣＨで伝送される上りデータ、ＰＵＣＣＨまたはＰＵＳＣＨで伝送される上り制御情報、上り参照信号のスケジューリングの制御（割り当て制御）も行う。上りリンク信号（上り制御信号、上りユーザデータ）の割り当て制御に関する情報は、下り制御信号（ＤＣＩ）を用いてユーザ端末２０に通知される。
【０１６９】
制御部３０１は、上位局装置３０からの指示情報や各ユーザ端末２０からのフィードバック情報に基づいて、下りリンク信号および上りリンク信号に対する無線リソースの割り当てを制御する。つまり、制御部３０１は、スケジューラとしての機能を有している。
【０１７０】
制御部３０１は、ＰＵＣＣＨ設定セルの変更指示を含むＲＲＣメッセージを送信するよう制御し、このＲＲＣメッセージに対する完了報告を受信するまでの間、下りリンクスケジューリングを行わないよう制御する。制御部３０１は、下りリンクスケジューリングを行わない制御に替えて、ＰＵＣＣＨ設定セルの変更指示を含むＲＲＣメッセージを送信し、このＲＲＣメッセージに対する完了報告を受信するまでの間、変更前後のＰＵＣＣＨ設定セルの両方で上り制御信号をモニタするよう制御する。
【０１７１】
下り制御信号生成部３０２は、制御部３０１により割り当てが決定された下り制御信号（ＰＤＣＣＨ信号とＥＰＤＣＣＨ信号の両方、またはいずれか一方）を生成する。具体的に、下り制御信号生成部３０２は、制御部３０１からの指示に基づいて、下りリンク信号の割り当て情報を通知する下りリンクアサインメントと、上りリンク信号の割り当て情報を通知する上りリンクグラントを生成する。
【０１７２】
下りデータ信号生成部３０３は、制御部３０１によりリソースへの割り当てが決定された下りデータ信号（ＰＤＳＣＨ信号）を生成する。下りデータ信号生成部３０３により生成されるデータ信号には、各ユーザ端末２０からのＣＳＩ等に基づいて決定された符号化率、変調方式に従って符号化処理、変調処理が行われる。
【０１７３】
マッピング部３０４は、制御部３０１からの指示に基づいて、下り制御信号生成部３０２で生成された下り制御信号と、下りデータ信号生成部３０３で生成された下りデータ信号の無線リソースへの割り当てを制御する。
【０１７４】
デマッピング部３０５は、ユーザ端末２０から送信された上りリンク信号をデマッピングして、上りリンク信号を分離する。チャネル推定部３０６は、デマッピング部３０５で分離された受信信号に含まれる参照信号からチャネル状態を推定し、推定したチャネル状態を上り制御信号復号部３０７、上りデータ信号復号部３０８に出力する。
【０１７５】
上り制御信号復号部３０７は、上り制御チャネル（ＰＲＡＣＨ，ＰＵＣＣＨ）でユーザ端末から送信されたフィードバック信号（送達確認信号等）を復号し、制御部３０１へ出力する。上りデータ信号復号部３０８は、上り共有チャネル（ＰＵＳＣＨ）でユーザ端末から送信された上りデータ信号を復号し、判定部３０９へ出力する。判定部３０９は、上りデータ信号復号部３０８の復号結果に基づいて、再送制御判定（Ａ／Ｎ判定）を行うとともに結果を制御部３０１に出力する。
【０１７６】
図１９は、本実施の形態に係るユーザ端末２０の全体構成図である。図１９に示すように、ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５と、を備えている。
【０１７７】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下りリンクのデータのうち、下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１７８】
一方、上りリンクのユーザデータについては、アプリケーション部２０５からベースバンド信号処理部２０４に入力される。ベースバンド信号処理部２０４では、再送制御（ＨＡＲＱ：Ｈｙｂｒｉｄ  ＡＲＱ）の送信処理や、チャネル符号化、プリコーディング、ＤＦＴ処理、ＩＦＦＴ処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１７９】
送受信部２０３は、ＲＲＣメッセージを受信し、ＨＡＲＱ−ＡＣＫを送信する。
【０１８０】
図２０は、ユーザ端末２０が有するベースバンド信号処理部２０４の主な機能構成図である。図２０に示すように、ユーザ端末２０が有するベースバンド信号処理部２０４は、制御部４０１と、上り制御信号生成部４０２と、上りデータ信号生成部４０３と、マッピング部４０４と、デマッピング部４０５と、チャネル推定部４０６と、下り制御信号復号部４０７と、下りデータ信号復号部４０８と、判定部４０９と、を少なくとも含んで構成されている。
【０１８１】
制御部４０１は、無線基地局１０から送信された下り制御信号（ＰＤＣＣＨ信号）や、受信したＰＤＳＣＨ信号に対する再送制御判定結果に基づいて、上り制御信号（Ａ／Ｎ信号等）や上りデータ信号の生成を制御する。無線基地局から受信した下り制御信号は下り制御信号復号部４０７から出力され、再送制御判定結果は、判定部４０９から出力される。
【０１８２】
制御部４０１は、各セルグループにそれぞれ設定されるＰＵＣＣＨ設定セルから少なくとも１つのセルを選択してＰＵＣＣＨを送信するセルとして制御するとともに、受信したＲＲＣメッセージにＰＵＣＣＨ設定セルの変更指示が含まれる場合に、ＲＲＣメッセージに対するＨＡＲＱ−ＡＣＫを変更前のＰＵＣＣＨ設定セルで送信するよう制御する。制御部４０１は、ＲＲＣメッセージにＰＵＣＣＨ設定セルの変更指示が含まれる場合に、変更前のＰＵＣＣＨ設定セルにおけるチャネル品質情報（ＣＱＩ）報告を停止する。
【０１８３】
上り制御信号生成部４０２は、制御部４０１からの指示に基づいて上り制御信号（送達確認信号やチャネル状態情報（ＣＳＩ）等のフィードバック信号）を生成する。上りデータ信号生成部４０３は、制御部４０１からの指示に基づいて上りデータ信号を生成する。なお、制御部４０１は、無線基地局から通知される下り制御信号に上りリンクグラントが含まれている場合に、上りデータ信号生成部４０３に上りデータ信号の生成を指示する。
【０１８４】
マッピング部４０４は、制御部４０１からの指示に基づいて、上り制御信号（送達確認信号等）と、上りデータ信号の無線リソース（ＰＵＣＣＨ、ＰＵＳＣＨ）への割り当てを制御する。
【０１８５】
デマッピング部４０５は、無線基地局１０から送信された下りリンク信号をデマッピングして、下りリンク信号を分離する。チャネル推定部４０６は、デマッピング部４０５で分離された受信信号に含まれる参照信号からチャネル状態を推定し、推定したチャネル状態を下り制御信号復号部４０７、下りデータ信号復号部４０８に出力する。
【０１８６】
下り制御信号復号部４０７は、下り制御チャネル（ＰＤＣＣＨ）で送信された下り制御信号（ＰＤＣＣＨ信号）を復号し、スケジューリング情報（上りリソースへの割り当て情報）を制御部４０１へ出力する。また、下り制御信号に送達確認信号をフィードバックするセルに関する情報や、ＲＦ調整の適用有無に関する情報が含まれている場合も、制御部４０１へ出力する。
【０１８７】
下りデータ信号復号部４０８は、下り共有チャネル（ＰＤＳＣＨ）で送信された下りデータ信号を復号し、判定部４０９へ出力する。判定部４０９は、下りデータ信号復号部４０８の復号結果に基づいて、再送制御判定（Ａ／Ｎ判定）を行うとともに、結果を制御部４０１に出力する。
【０１８８】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【０１８９】
１…無線通信システム
１０，１１，１２…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…インターフェース部
２０１…送受信アンテナ
２０２…アンプ部
２０３…送受信部
２０４…ベースバンド信号処理部
２０５…アプリケーション部
３０１…制御部（スケジューラ）
３０２…下り制御信号生成部
３０３…下りデータ信号生成部
３０４…マッピング部
３０５…デマッピング部
３０６…チャネル推定部
３０７…上り制御信号復号部
３０８…上りデータ信号復号部
３０９…判定部
４０１…制御部
４０２…上り制御信号生成部
４０３…上りデータ信号生成部
４０４…マッピング部
４０５…デマッピング部
４０６…チャネル推定部
４０７…下り制御信号復号部
４０８…下りデータ信号復号部
４０９…判定部
【図１】
2015126394.tif 000003
【図２】
2015126394.tif 000004
【図３】
2015126394.tif 000005
【図４】
2015126394.tif 000006
【図５】
2015126394.tif 000007
【図６】
2015126394.tif 000008
【図７】
2015126394.tif 000009
【図８】
2015126394.tif 000010
【図９】
2015126394.tif 000011
【図１０】
2015126394.tif 000012
【図１１】
2015126394.tif 000013
【図１２】
2015126394.tif 000014
【図１３】
2015126394.tif 000015
【図１４】
2015126394.tif 000016
【図１５】
2015126394.tif 000017
【図１６】
2015126394.tif 000018
【図１７】
2015126394.tif 000019
【図１８】
2015126394.tif 000020
【図１９】
2015126394.tif 000021
【図２０】
2015126394.tif 000022